(57)【特許請求の範囲】
【請求項１】
操作盤本体と、操作盤本体の前面に設けられているタッチパネル部とを備えているエレベータの操作盤であって、
上記タッチパネル部は、
上下に並んで配置された複数の行先階登録ボタン、及び
これら行先階登録ボタンの列の横に配置され、かごの位置を表示する帯状のインジケータバー
を有しており、
上記行先階登録ボタンは、操作されることにより、上記インジケータバー側へその領域が広げられるエレベータの操作盤。
【請求項２】
上記かごの進行方向を示すかご表示マークが上記インジケータバー内を上記かごの位置に対応して移動される請求項１記載のエレベータの操作盤。
【請求項３】
上記行先階登録ボタンは、操作されることにより、上記インジケータバーと同じ色で上記インジケータバーとつながるように上記インジケータバー側へその領域が広げられる請求項１記載のエレベータの操作盤。
【請求項４】
上記行先階登録ボタンは、操作されることにより、上記インジケータバーと異なる色で上記インジケータバーを上下に分断するように上記インジケータバー側へその領域が広げられる請求項１記載のエレベータの操作盤。
【請求項５】
操作盤本体と、操作盤本体の前面に設けられているタッチパネル部とを備えているエレベータの操作盤であって、
上記タッチパネル部は、
上下に並んで配置された複数の行先階登録ボタン、及び
これら行先階登録ボタンの列の横に配置され、かごの位置を表示する帯状のインジケータバー
を有しており、
上記行先階登録ボタンは、操作されることにより、上記インジケータバー側へその領域が移動されるエレベータの操作盤。
【請求項６】
上記行先階登録ボタンは、操作されることにより、上記インジケータバーと異なる色で上記インジケータバーを上下に分断するように上記インジケータバー側へその領域が移動される請求項５記載のエレベータの操作盤。
【請求項７】
上記タッチパネル部は、
対応する乗場階の行先階登録ボタンの側方に上記インジケータバーを挟んでそれぞれ配置され、各乗場階の情報を表示するとともに、対応する乗場の乗場ボタン装置が操作されることにより表示形態が変化する複数の乗場情報表示部を
さらに有している請求項１から請求項６までのいずれか１項に記載のエレベータの操作盤。
【請求項８】
上記乗場情報表示部は、対応する乗場の乗場ボタン装置が操作されることにより、上記インジケータバーと同じ色で上記インジケータバーとつながるように上記インジケータバー側へその領域が広げられる請求項７記載のエレベータの操作盤。
【請求項９】
上記乗場情報表示部は、対応する乗場の乗場ボタン装置が操作されることにより、上記インジケータバーと異なる色で上記インジケータバーを上下に分断するように上記インジケータバー側へその領域が広げられる請求項７記載のエレベータの操作盤。
【請求項１０】
上記乗場情報表示部は、対応する乗場の乗場ボタン装置が操作されることにより、上記インジケータバーと異なる色で上記インジケータバーを上下に分断するように上記インジケータバー側へその領域が移動される請求項７記載のエレベータの操作盤。
【請求項１１】
上記かごが行先階に停止したとき、対応する行先階登録ボタン及び乗場情報表示部と上記インジケータバーとが同じ色でつなげられる請求項７記載のエレベータの操作盤。
【請求項１２】
行先階として登録不可の階は、上記行先階登録ボタンの列の中の対応部分に階番号のみ表示される請求項１から請求項１１のいずれか１項に記載のエレベータの操作盤。
【発明の詳細な説明】
技術分野
この発明は、かご内又は乗場に設置され、行先階を登録するためのボタンを有しているエレベータの操作盤に関するものである。
背景技術
従来、特許第２５０２０７７号公報には、かご又は乗場に設けられた表示装置に、運転状態に応じた案内パターンが選択的に表示されるエレベータが示されている。
また、特許第２５０２６１０号公報には、乗場に設けられた表示装置に、通常は日時や天気予報などの一般情報が表示され、乗場呼びが登録されると、かご位置などの運転情報が表示されるエレベータが示されている。
さらに、特開平６−２７１２３２号公報には、かご内に設けられた表示装置に、下降運転時に列車の運行情報が表示されるエレベータが示されている。
さらにまた、特開平８−５９１１５号公報には、かご内で玄関階の呼びが登録されたとき、かご内の表示器に天気に関する情報が表示されるエレベータが示されている。
また、特開平８−３４５７２号公報には、かご内の映像表示装置により、通常は文字放送やＴＶ放送等が表示され、地震などの非常時には、かごが位置している階に応じた避難経路が表示されるエレベータが示されている。
さらに、特開平１１−９２０４５号公報には、乗場に設けられた表示装置に、天気予報等の一般情報やかごの待ち時間等が表示されるエレベータが示されている。
しかし、従来の表示方法では、かごの位置や状態、待ち時間等を十分に明確に把握できず、より分かり易い表示方法が要求されている。
発明の開示
この発明は、上記のような課題を解決するためになされたものであり、かごの位置や状態及び停止階等の情報をより明確に一目で把握させることができるエレベータの操作盤を得ることを目的とする。
この発明によるエレベータの操作盤は、操作盤本体と、操作盤本体の前面に設けられているタッチパネル部とを備えたものであって、上下に並んで配置され、操作されることにより表示形態が変化する複数の行先階登録ボタン、及びこれら行先階登録ボタンの列の横に配置され、かごの位置を表示する帯状のインジケータバーをタッチパネル部が有するものである。
発明を実施するための最良の形態
以下、この発明の好適な実施の形態について図面を参照して説明する。
実施の形態１．
図１はこの発明の実施の形態１によるエレベータの操作盤を示す構成図である。図において、かご１内には、操作盤２が設けられている。操作盤２は、かご室壁１ａに埋設された操作盤本体３と、この操作盤本体３の前面に設けられているタッチパネル部４とを有している。各階の乗場５には、乗場ボタン装置６がそれぞれ設けられている。操作盤２及び乗場ボタン装置６は、制御装置７に接続されている。
図２は図１のタッチパネル部４を示す正面図であり、かご１でも乗場５でも呼びが登録されていない状態を示している。タッチパネル部４には、複数の行先階登録ボタン（ボタン表示部）１１が設けられている。行先階登録ボタン１１は、上下に並んで配置されている。また、行先階登録ボタン１１は、通常は矩形のボタン表示内に階番号が表示されているが、操作されることにより表示形態が変化する。
行先階登録ボタン１１の列の横の領域には、かご１の位置を表示する帯状のインジケータバー１２が配置されている。インジケータバー１２では、かご１の進行方向を示す矢印状のかご表示マーク１２ａがかご１の位置に対応して移動される。インジケータバー１２全体は昇降路に対応し、かご表示マーク１２ａは昇降路内を昇降するかご１に対応している。
各乗場階の情報を表示する複数の乗場情報表示部１３は、対応する乗場階の行先階登録ボタン１１の側方の領域にインジケータバー１２を挟んでそれぞれ配置されている。乗場情報表示部１３は、通常は矩形の枠内に乗場階の情報（例えば百貨店であれば売場情報など）が表示されているが、対応する乗場５の乗場ボタン装置６が操作されることにより表示形態が変化する。
行先階登録ボタン１１、インジケータバー１２及び乗場情報表示部１３の上方の領域には、かご１の進行方向を示す方向表示部１４、かご１の現在位置を示すかご位置表示部１５、画像表示部１６及びメッセージ表示部１７が配置されている。
図３は図２の行先階登録ボタン１１が操作された状態を示す正面図であり、図３では２階の行先階登録ボタン１１が操作されている。行先階登録ボタン１１は、操作されることにより、インジケータバー１２と同じ色に変化する。また、行先階登録ボタン１１が操作されることにより、行先階登録ボタン１１の領域は、インジケータバー１２とつながるようにインジケータバー１２側へ広げられる。
行先階登録ボタン１１が操作されると、制御装置７に信号が出力されて呼びが登録され、かつ操作された行先階登録ボタン１１の表示形態が変化される。
図４は図２の乗場情報表示部１３の表示形態が変化した状態を示す正面図であり、図４では２階及び６階の乗場情報表示部１３の表示形態が変化している。乗場情報表示部１３は、対応する乗場５の乗場ボタン装置６が操作されることにより、インジケータバー１２と同じ色に変化する。また、乗場ボタン装置６が操作されることにより、対応する乗場情報表示部１３の領域は、インジケータバー１２とつながるようにインジケータバー１２側へ広げられる。
乗場ボタン装置６が操作されると、制御装置７に呼びが登録され、制御装置７から操作盤２に信号が出力される。制御装置７からの信号を受けると、対応する乗場情報表示部１３の表示形態が変化される。
このようなエレベータの操作盤では、行先階登録ボタン１１とインジケータバー１２とがタッチパネル部４に並べて配置されており、行先階登録ボタン１１が操作されると、その行先階登録ボタン１１の表示形態が変化するので、かごの位置や状態、停止予定階等を直感的に把握させることができ、待ち時間等も直感的に把握させることができる。また、呼び登録が行われたことを乗客に明確に認識させることができる。
さらに、行先階登録ボタン１１の側方に乗場情報表示部１３を配置し、乗場ボタン装置６が操作されることにより、対応する乗場情報表示部１３の表示形態が変化するようにしたので、乗場５の呼び登録の状態を一目で把握させることができる。これにより、乗場５からの呼びにより行先階の手前でかご１が停止する場合に、かご１内の乗客が誤って降りるのが防止される。また、乗場５から乗ってくる乗客が乗りやすいように、かご１内の乗客がスペースをあける動作をすることができる。
なお、実施の形態１では、かご１内に操作盤２を設けたが、乗場ボタン装置６として同様の操作盤２を乗場５に設けてもよい。これにより、乗場５で待っている乗客にエレベータの運行状況をより明確に伝えることができる。また、かご１から降りて来る乗客がいるかどうかをかご１が到着する前に事前に把握させることができ、乗降時の乗客の衝突や接触等を防止することができる。
実施の形態２．
また、実施の形態１では、呼びが登録されると対応する行先階登録ボタン１１及び乗場情報表示部１３がインジケータバー１２と一体化されるが、行先階登録ボタン１１及び乗場情報表示部１３の表示形態の変化は一体化に限定されるものではない。
例えば、図５はこの発明の実施の形態２によるタッチパネル部４の行先階登録ボタンが操作された状態を示す正面図であり、図５では２階の行先階登録ボタン１１が操作されている。行先階登録ボタン１１は、操作されることにより、インジケータバー１２と異なる色でインジケータバー１２を上下に分断するようにインジケータバー１２側へその領域が広げられる。
また、図６は図５のタッチパネル部４の乗場情報表示部１３の表示形態が変化した状態を示す正面図であり、図６では２階及び６階の乗場情報表示部１３の表示形態が変化している。乗場情報表示部１３は、対応する乗場５の乗場ボタン装置６が操作されることにより、インジケータバー１２と異なる色でインジケータバー１２を上下に分断するようにインジケータバー１２側へその領域が広げられる。
図７は図５のタッチパネル部４のかご到着時の状態を示す正面図であり、図７ではかご１が２階に到着した状態が示されている。かご１が行先階に到着すると、その情報が操作盤に送られ、対応する階の行先階登録ボタン１１及び乗場情報表示部１３がインジケータバー１２と同じ色で一体化される。また、かご表示マーク１２ａが四角形となり、かご１が停止していることが表示される。
このような行先階登録ボタン１１及び乗場情報表示部１３の表示形態の変化であっても、実施の形態１と同様に、かご１の位置や状態、停止予定階等の情報を乗客に分かりやすく明確に伝えることができる。
実施の形態３．
さらに、図８はこの発明の実施の形態３によるタッチパネル部４の行先階登録ボタンが操作された状態を示す正面図、図９は図８のタッチパネル部４の乗場情報表示部１３の表示形態が変化した状態を示す正面図である。
行先階登録ボタン１１は、操作されることにより、インジケータバー１２と異なる色でインジケータバー１２を上下に分断するようにインジケータバー１２側へその領域が移動される。
また、乗場情報表示部１３は、対応する乗場５の乗場ボタン装置６が操作されることにより、インジケータバー１２と異なる色でインジケータバー１２を上下に分断するようにインジケータバー１２側へその領域が移動される。
このような表示形態の変化であっても、実施の形態１と同様に、かご１の位置や状態、停止予定階等の情報を乗客に分かりやすく明確に伝えることができる。実施の形態４．
次に、図１０はこの発明の実施の形態４によるタッチパネル部４の表示状態を示す正面図である。図において、行先階として登録不可の階（この例では２階）について、行先階登録ボタン１１の列の中の対応部分に階番号のみ表示され、登録不可の階の行先階登録ボタン１１は非表示にされている。
このような表示形態によれば、行先階として指定できない階が一目で分かるため、その階を指定しようとする誤りを事前に防ぐことができる。
【図面の簡単な説明】
図１はこの発明の実施の形態１によるエレベータの操作盤を示す構成図、
図２は図１のタッチパネル部を示す正面図、
図３は図２の行先階登録ボタンが操作された状態を示す正面図、
図４は図２の乗場情報表示部の表示形態が変化した状態を示す正面図、
図５はこの発明の実施の形態２によるタッチパネル部の行先階登録ボタンが操作された状態を示す正面図、
図６は図５のタッチパネル部の乗場情報表示部の表示形態が変化した状態を示す正面図、
図７は図５のタッチパネル部のかご到着時の状態を示す正面図、
図８はこの発明の実施の形態３によるタッチパネル部の行先階登録ボタンが操作された状態を示す正面図、
図９は図８のタッチパネル部の乗場情報表示部の表示形態が変化した状態を示す正面図、
図１０はこの発明の実施の形態４によるタッチパネル部の表示状態を示す正面図である。
【図１】
0004641140.tif 000002
【図２】
0004641140.tif 000003
【図３】
0004641140.tif 000004
【図４】
0004641140.tif 000005
【図５】
0004641140.tif 000006
【図６】
0004641140.tif 000007
【図７】
0004641140.tif 000008
【図８】
0004641140.tif 000009
【図９】
0004641140.tif 000010
【図１０】
0004641140.tif 000011